(57)【要約】【課題】投影されている画像を見易くすると共に、簡易かつ安価な構成で投影するプロジェクタおよびデータ入出力システムを提供する。【解決手段】カメラ５０の採光によって得られたＡＥデータ，ＡＷＢデータに基づき、プロジェクタ１０の光源１２の輝度，色補正度が、スクリーン３８における光量，色に対応するよう調整される。即ち、プロジェクタ１０において、スクリーン３８の周囲の輝度，スクリーン３８の色変化たとえばスクリーン３８の黄ばみ等の劣化，スクリーン３８の周囲のたとえば蛍光灯などの発光色における色温度に対応し、そのため外光に対応する輝度及び投射される背景画面が常に一定の明るさ，色味に設定できるので、光源１２における消費電力が低減され、かつ投影される画像が見易くなる。また、プロジェクタ１０に従来のような周囲光量検出装置などが不要となるので、構成が簡易になり、かつ安価となる。【選択図】　図２
2004128575.tif 000002
【特許請求の範囲】
【請求項１】
光源から射出された光で、かつ画像情報により示される画像を担持した光を投影面に投影するプロジェクタであって、
前記投影面における光量を光量情報として検出する光量検出手段または前記投影面における色を色情報として検出する色検出手段の少なくとも一方を備えた撮像装置から、前記光量情報または前記色情報の少なくとも一方を入力する入力手段と、
前記光源から射出される投影光の光量または色の少なくとも一方を調整する調整手段と、
前記入力手段によって入力された前記光量情報または前記色情報の少なくとも一方に基づいて、前記投影光の光量または色の少なくとも一方が、前記投影面における光量または色の少なくとも一方に対応するように、前記調整手段を制御する制御手段と、
を有するプロジェクタ。
【請求項２】
前記調整手段による前記投影光の光量または色の調整タイミングを、前記光量情報または前記色情報の少なくとも一方が変化したタイミングとする請求項１記載のプロジェクタ。
【請求項３】
投影面における光量を光量情報として検出する光量検出手段または前記投影面における色を色情報として検出する色検出手段の少なくとも一方と、前記光量情報または前記色情報の少なくとも一方を出力する出力手段とを備える撮像装置と、
前記撮像装置の前記出力手段から出力された前記光量情報または前記色情報の少なくとも一方を入力する入力手段と、光源から射出される投影光の光量または色の少なくとも一方を調整する調整手段と、前記入力手段によって入力された前記光量情報または前記色情報の少なくとも一方に基づいて前記投影光の光量または色の少なくとも一方が前記投影面における光量または色の少なくとも一方に対応するよう前記調整手段を制御する制御手段とを備えるプロジェクタと、
を有するデータ入出力システム。
【発明の詳細な説明】
【０００１】
【発明の属する技術分野】
本発明は、光源から射出された光で、かつ画像情報により示される画像を担持した光を投影面に投影するプロジェクタおよびデータ入出力システムに関する。
【０００２】
【従来の技術】
従来のプロジェクタには、周囲の光量を検出する周囲光量検出装置（調光センサーなど）を備える技術が開示されている（例えば、特許文献１参照）。すなわち、上記特許文献１に係る発明は、内蔵された周囲光量検出装置から出力された制御信号に基づき、光源に供給する電力を増減し、プロジェクタの輝度（明るさ）を調整する。
【０００３】
【特許文献１】
特開２０００−１３１６６８公報
【０００４】
【発明が解決しようとする課題】
ところで、上記特許文献１に係る発明では、プロジェクタ内に周囲光量検出装置を内蔵するので、構成が複雑となり、そのため高価となっていた。また、上記特許文献１に係る発明では、周囲光量検出装置で周囲の光量を検出するのみであり、色あせなどによって劣化したスクリーンの色を検出するものではなく、映像が非常に見にくい色で表示されたままである。
【０００５】
本発明の目的は、上記事実を考慮して、投影されている画像を見易くすると共に、簡易かつ安価な構成で投影するプロジェクタおよびデータ入出力システムを提供する。
【０００６】
【課題を解決するための手段】
請求項１記載のプロジェクタでは、光源から射出された光で、かつ画像情報により示される画像を担持した光を投影面に投影するプロジェクタであって、前記投影面における光量を光量情報として検出する光量検出手段または前記投影面における色を色情報として検出する色検出手段の少なくとも一方を備えた撮像装置から、前記光量情報または前記色情報の少なくとも一方を入力する入力手段と、前記光源から射出される投影光の光量または色の少なくとも一方を調整する調整手段と、前記入力手段によって入力された前記光量情報または前記色情報の少なくとも一方に基づいて、前記投影光の光量または色の少なくとも一方が、前記投影面における光量または色の少なくとも一方に対応するように、前記調整手段を制御する制御手段と、を有する。
【０００７】
また、請求項３記載に係るデータ入出力システムは、投影面における光量を光量情報として検出する光量検出手段または前記投影面における色を色情報として検出する色検出手段の少なくとも一方と、前記光量情報または前記色情報の少なくとも一方を出力する出力手段とを備える撮像装置と、前記撮像装置の前記出力手段から出力された前記光量情報または前記色情報の少なくとも一方を入力する入力手段と、光源から射出される投影光の光量または色の少なくとも一方を調整する調整手段と、前記入力手段によって入力された前記光量情報または前記色情報の少なくとも一方に基づいて前記投影光の光量または色の少なくとも一方が前記投影面における光量または色の少なくとも一方に対応するよう前記調整手段を制御する制御手段とを備えるプロジェクタと、を有する。
【０００８】
本発明においては、撮像装置の採光によって得られた光量情報（輝度情報）または色情報（色差情報）に基づき、プロジェクタの光源の光量または色が、投影面たとえばスクリーンにおける光量または色に対応するよう調整されるので、スクリーンの周囲の輝度，スクリーンの黄ばみ等の劣化による色変化，スクリーンの周囲のたとえば蛍光灯などの発光色における色温度に対応できる。
【０００９】
例えば、スクリーンの周囲が暗い場合には、プロジェクタから投射される背景画面表示の輝度を暗くする。一方、スクリーンの周囲が明るい場合には、プロジェクタから投射される背景画面表示の輝度を明るくする。また、プロジェクタの調整手段は、撮像装置の採光によって得られた色情報に基づき、スクリーンの色変化，スクリーンの周囲における色温度に対応するように、ホワイトバランスを設定する。
【００１０】
即ち、本発明によれば、プロジェクタにおいて、外光に対応する輝度または投射される背景画面が常に一定の明るさ又は色味に設定できるので、光源における消費電力が低減すると共に、投影される画像が見易くなり視認性が向上する。また、本発明によれば、撮像装置の採光によって得られた光量情報または色情報に基づいて、プロジェクタの光源の輝度または色が、外光に対応する輝度またはスクリーンの色変化に対応するよう制御されるので、プロジェクタに従来のような周囲光量検出装置などが不要となり、そのため構成が簡易になると共に、安価となる。
【００１１】
なお、請求項２記載に係るプロジェクタは、請求項１において、前記調整手段による前記投影光の光量または色の調整タイミングを、前記光量情報または前記色情報の少なくとも一方が変化したタイミングとする。請求項２に係る発明によれば、光量情報または色情報が変化したタイミングで、調整手段が投影光の光量または色を調整するので、プロジェクタの投影状況の変動に迅速かつ的確に対応できる。
【００１２】
また、本発明に係る電子機器は、デジタルカメラ，デジタルビデオカメラ，撮像機能を備えた携帯電話，パーソナル・コンピュータ，ＰＤＡ（Ｐｅｒｓｏｎａｌ　　Ｄｉｇｉｔａｌ　Ａｓｓｉｓｔａｎｃｅ）などを含む概念である。
【００１３】
【発明の実施の形態】
以下、図１乃至図５に基づいて、本発明の実施形態であるプロジェクタおよびデータ入出力システムについて説明する。なお、図１は本実施形態のデータ入出力システムの外観を示す斜視図、図２は図１に示すプロジェクタのブロック図、図３は図１に示すデジタルスチルカメラ（以下、単に「デジタルカメラ」という）のブロック図である。
【００１４】
また、本実施形態のプロジェクタ１０は、画像データをパーソナル・コンピュータ（以下、単に「ＰＣ」という）８０から入力すると共に、ＡＥ（Ａｕｔｏｍａｔｉｃ　Ｅｘｐｏｓｕｒｅ：自動露出）データおよびＡＷＢ（Ａｕｔｏｍａｔｉｃ　Ｗｈｉｔｅ　Ｂａｌａｎｃｅ：オートホワイトバランス調整）データをデジタルカメラ５０から入力するタイプである。即ち、本実施形態のデジタルカメラ５０は、採光によって得られたＡＥデータ（輝度情報）およびＡＷＢデータ（色差情報）を、外部に出力できるように設定している。
【００１５】
ここで、ＡＷＢデータは、光質を判断するため白い色を測定するホワイトバランスを、色温度の変化に追随するよう自動的に調整するオートホワイトバランスデータである。また、本実施形態では、撮像装置であるデジタルカメラ５０の採光によって得られたＡＥデータおよびＡＷＢデータに基づき、プロジェクタ１０の光源１２の輝度および色補正度が変更されるようになっている。
【００１６】
図２に示すように、データ入出力システムは、プロジェクタ１０，デジタルカメラ５０，およびＰＣ８０を備え、デジタルカメラ５０およびＰＣ８０をプロジェクタ１０に接続する。プロジェクタ１０は、ハロゲンランプなどで構成される光源１２と、光源１２の照射方向に配置された複数（例えば３枚）の透過型カラー液晶パネル１４と、カラー液晶パネル１４にそれぞれ対向して配置された複数のコリメータレンズ１６と、コリメータレンズ１６にそれぞれ対向して配置された複数のハーフミラー１８と、投影レンズ２０を備える。
【００１７】
カラー液晶パネル１４は、３原色光の赤色光，緑色光，青色光（ＲＧＢ）を、それぞれ透過する各パネルによって構成している。即ち、カラー液晶パネル１４は、赤色光（Ｒ光）のみを透過するパネル、緑色光（Ｇ光）のみを透過するパネル、および青色光（Ｂ光）のみを透過するパネルを備える。
【００１８】
プロジェクタ１０には、コリメータレンズ１６を光軸に沿ってスライドさせるレンズドライバー２２が配置されており、ズーム操作によってコリメータレンズ１６の焦点距離が変わる。また、カラー液晶パネル１４には、Ｒ光，Ｇ光，Ｂ光毎に割り振られた画像データに応じた画像が表示される。そして、投影レンズ２０には、カラー液晶パネル１４からのＲ光，Ｇ光，Ｂ光の各画像が、ハーフミラー１８を介し、重なり合うカラー画像として担持される。
【００１９】
なお、投影レンズ２０は図示しないレンズ筒内をスライドし、ズーム操作によって投影レンズ２０の焦点距離が変わる。また、投影面としてのスクリーン３８上には、投影レンズ２０からの投影像（カラー画像）が投影される。本実施形態では、投影面を、スクリーン３８の代わりに、壁面などを使用しても良い。
【００２０】
プロジェクタ１０には、光源（ハロゲンランプ）１２の光量を制御する光量制御手段（出力ドライバー）２６と、カラー液晶パネル１４に対して色バランス，色相，色彩度，コンストラスト，階調カーブなどの色再現特性（ＲＧＢ比率）を制御する色補正制御部（出力ドライバー）２８が、プロジェクタ１０全体の動作を司る制御手段としての中央演算処理装置（ＣＰＵ）２４に、それぞれ接続されている。
【００２１】
そして、光量調整手段である光量制御部２６は、メモリ３０に記録されたデジタルカメラからのＡＥデータに基づいて、スクリーン３８の周囲の輝度に対応する輝度（光量）を演算し、この演算値に対応するように光源１２の輝度を制御する。
【００２２】
また、色補正調整手段である色補正制御部２８は、メモリ３０に記録されたデジタルカメラからのＡＷＢデータに基づいて、スクリーン３８の色変化たとえばスクリーン３８の黄ばみ等の劣化，スクリーン３８の周囲のたとえば蛍光灯などの発光色における色温度に対応する色補正度（ホワイトバランス）を設定し、この設定値に対応するように光源１２の色補正度を制御する。
【００２３】
即ち、ＣＰＵ２４は、色補正制御部２８を介してカラー液晶パネル１４の色バランスまたは透過率などを制御することにより、カラー液晶パネル１４におけるＲ光，Ｇ光，Ｂ光が、ＲＧＢ各色の画像に対応するカラー液晶パネル１４の画素の電極を駆動することによって変調される。
【００２４】
ＣＰＵ２４には、コリメータレンズ１６に対するズーム処理を行うレンズドライバー２２と、光量，色を変換するデータなどを司るルックアップテーブル，プログラムなどの各種データが予めに記憶領域に記憶されたメモリ３０とがそれぞれ接続されている。
【００２５】
メモリ３０には、デジタルカメラ５０から入力されるＡＥデータおよびＡＷＢデータが記録される。そして、光量制御部２６および色補正制御部２８は、メモリ３０から読み出されたＡＥデータおよびＡＷＢデータに基づいて、輝度（光量）およびホワイトバランスの色補正度を設定する。なお、ＣＰＵ２４には、電源スイッチ，モード切換スイッチなどの各種操作キーを備える操作部３２、および各種データの授受を中継するインターフェース（Ｉ／Ｆ）３４，３６がそれぞれ接続されている。
【００２６】
即ち、入力手段の一部を構成するＩ／Ｆ３４は、デジタルカメラ５０との間で各種データの授受を中継し、デジタルカメラ５０から転送されるＡＥデータおよびＡＷＢデータなどのデータ転送を制御する。また、Ｉ／Ｆ３６は、ＰＣ８０との間で各種データの授受を中継し、ＰＣ８０から転送される画像データなどのデータ転送を制御する。
【００２７】
次に、図３に基づいて、デジタルカメラ５０の構成について説明する。デジタルカメラ５０は、被写体像を結像させる複数枚の撮影レンズを含んで構成された光学ユニット５２と、上記撮影レンズの光軸後方に配設されたＣＣＤ５４と、ＣＣＤ５４からの出力信号に基づき被写体像を示すデジタル画像データを生成すると共に光学ユニット５２の各部，ＣＣＤ５４などを駆動するためのタイミング信号を生成する信号処理部５６と、主としてＣＣＤ５４による撮像によって得られたデジタル画像データを記憶するＳＤＲＡＭ（Ｓｙｎｃｈｒｏｎｏｕｓ　Ｄｙｎａｍｉｃ　ＲＡＭ）５８と、デジタルカメラ５０の全体的な動作を司る制御部（ＣＰＵ）６０と、を含んで構成されている。
【００２８】
光学ユニット５２に含まれる撮影レンズは焦点距離の変更（変倍）が可能なズームレンズとして構成されており、光学ユニット５２はレンズ駆動機構を備える。レンズ駆動機構はズームモータ及び焦点調整モータを含み、ズームモータ及び焦点調整モータは制御部６０の制御下で図示しないＡＦ制御回路から供給された駆動信号によって駆動される。
【００２９】
制御部６０は、ＣＣＤ５４による撮像によって得られた画像のコントラストが最大となるように上記焦点調整モータを駆動制御することによって合焦制御を行う。即ち、デジタルカメラ５０では、合焦制御として、読み取られた画像のコントラストが最大となるように撮影レンズの位置を設定する、所謂ＴＴＬ（Ｔｈｒｏｕｇｈ　Ｔｈｅ　　Ｌｅｎｓ）測光方式を採用しており、オートフォーカス・フレームによって示される撮影位置に被写体が位置した状態でシャッターボタンを半押しすることによって、自動的に合焦制御がなされるように構成されている。なお、ＴＴＬ測光方式では、撮影レンズを通過する光を光電変換し、この光電変換された信号電荷に基づきＡＥデータを生成することにより、露出を自動的に計測する。
【００３０】
制御部６０は、図示しない所定容量のラインバッファを内蔵した撮像制御部と、所定の圧縮形式（本実施形態ではＪＰＥＧ（Ｊｏｉｎｔ　Ｐｈｏｔｏｇｒａｐｈｉｃ　Ｅｘｐｅｒｔｓ　Ｇｒｏｕｐ）形式）でデジタル画像データに対して圧縮処理を施すと共に、圧縮処理されたデジタル画像データに対して伸張処理を施す圧縮・伸張部と、がバスを介して相互に接続されて構成されている。
【００３１】
また、制御部６０には、ＡＥ機能を働かせるために必要とされる物理量（ＣＣＤ５４による撮像によって得られた画像の明るさを示す量）を検出する光量検出手段のＡＥ検出部６２と、ＡＷＢ機能を働かせるために必要とされるＡＷＢデータ（ＲＧＢの各色差信号に基づいて演算されるオートホワイトバランスデータ）を検出する色補正検出手段のＡＷＢ検出部６４と、ＡＥ検出部６２から検出された輝度に基づいて制御されるシャッター・絞り駆動部６６とがそれぞれ接続されている。
【００３２】
デジタルカメラ５０では、制御部（ＣＰＵ）６０が、ＡＥおよびＡＷＢの制御を行う。即ち、シャッター・絞り駆動部６６は、制御部６０と光学ユニット５２との間に接続され、光学ユニット５２に含まれるシャッター・絞りのシャッタースピードまたは絞り値などをＡＥ制御する。さらに、制御部６０には、各種パラメータなどを記憶した記憶部（フラッシュＲＯＭ）６８と、電源スイッチ，モード切換スイッチ，シャッターボタンなどの各種操作キーを備える操作部７０と、ＣＣＤ５４による撮像によって得られた被写体像や各種情報を表示する表示部（ＬＣＤ）７２と、ＵＳＢコネクタなどのインターフェイス（Ｉ／Ｆ）７４と、を含んで構成されている。
【００３３】
出力手段の一部を構成するＩ／Ｆ７４と制御部６０との間には外部接続部が接続されており、外部接続部はＩ／Ｆ７４に接続された外部端末（本実施形態では、プロジェクタ１０）との間の通信を司る。なお、信号処理部５６は、図示しない相関２重サンプリング回路（ＣＤＳ）と、ゲインコントローラと、Ａ／Ｄコンバータと、タイミングジェネレータと、を含んで構成されている。
【００３４】
そして、ＣＣＤ５４から出力された信号は、相関２重サンプリング回路によって相関２重サンプリング処理が施され、ゲインコントローラによってＣＣＤ５４におけるＲ（赤），Ｇ（緑），Ｂ（青）毎の感度調整が施された後、各画素毎のＲ、Ｇ、Ｂ信号としてＡ／Ｄコンバータに加えられる。
【００３５】
Ａ／Ｄコンバータは、ゲインコントローラから順次加えられるＲ，Ｇ，Ｂ信号を、各々１２ビットのＲ，Ｇ，Ｂ信号（以下、「デジタル画像データ」という。）に変換して画像処理手段である制御部６０に出力する。そして、制御部６０は、内蔵しているラインバッファにＡ／Ｄコンバータから順次入力されるデジタル画像データを、蓄積して一旦ＳＤＲＡＭ５８に格納する。
【００３６】
ＳＤＲＡＭ５８に格納されたデジタル画像データは、制御部６０によって読み出され、これらに光源種に応じたデジタルゲインをかけることでホワイトバランス調整を行なうと共に、ガンマ処理及びシャープネス処理を行なって８ビットのデジタル画像データを生成し、更にＹＣ信号処理して輝度信号Ｙとクロマ信号Ｃｒ、Ｃｂ（以下、「ＹＣ信号」という。）を生成し、ＹＣ信号を再びＳＤＲＡＭ５８に格納する。
【００３７】
操作部７０に配置されたシャッターボタンが撮影者によって押圧操作された場合には、ＳＤＲＡＭ５８に格納されたＹＣ信号を、圧縮・伸張部によって所定の圧縮形式で圧縮した後にフラッシュＲＯＭ６８に記憶する。即ち、フラッシュＲＯＭ６８には、被写体の画像データが記憶される。
【００３８】
デジタルカメラ５０は、Ｉ／Ｆ７４を介してプロジェクタ１０が接続された際の通信モードとして、接続されたプロジェクタ１０に対してフラッシュＲＯＭ６８に記憶されているＡＥデータおよびＡＷＢデータなどの各種データを、送信することができるように構成されている。
【００３９】
引続き、図４および図５を参照して、プロジェクタ１０に関する輝度調整処理および色調整処理について説明する。なお、輝度調整処理および色調整処理は、図２に示すように、デジタルカメラ５０がＩ／Ｆ３４を介してプロジェクタ１０に接続されている状態で実行される。なお、画像データを投影像としてスクリーン３８（図３参照）上に投影する投影モードとするには、ＰＣ８０がＩ／Ｆ３６を介してプロジェクタ１０に接続する必要がある。
【００４０】
図４および図５に示す輝度調整処理および色調整処理は、プロジェクタ１０およびデジタルカメラ５０の電源スイッチ（図示省略）がオンされた際にＣＰＵ２４および制御部６０によって実行される処理ルーチンを示すフローチャートであり、該プログラムは予めメモリ３０およびフラッシュＲＯＭ６８のプログラム領域（図示省略）に記憶されている。
【００４１】
図４に示すプロジェクタ１０の処理において、ステップ１００では、デジタルカメラ５０がプロジェクタ１０に接続されているか否かを判断する。デジタルカメラ５０とプロジェクタ１０とを接続するためには、入力手段および出力手段の一部を構成する図１に示すようなケーブル４０を用いる。なお、上記接続の有無は、プロジェクタ１０の図示しない接続部のオン・オフ状態で判断する。
【００４２】
ステップ１００が肯定の場合すなわちデジタルカメラ５０がプロジェクタ１０に接続されている場合には、ステップ１０２において、ＡＥデータおよびＡＷＢデータをデジタルカメラ５０に要求する。ＡＥデータおよびＡＷＢデータの要求は、ステップ１００で接続されていると判断された場合すなわち最初の１回のみ、データ要求信号をデジタルカメラ５０に出力することによって行う。プロジェクタ１０の投影状況（具体的にはスクリーン３８の周囲の状況）は、一般的に変動しないと想定されるからである。
【００４３】
なお、ステップ１０２におけるデータ要求タイミングは、所定周期（例えば５分間隔）毎に行うようにしても良い。この場合には、デジタルカメラ５０からＡＥデータおよびＡＷＢデータをリアルタイムに取得することができるので、プロジェクタ１０におけるＡＥおよびＡＷＢの処理を迅速かつ確実に行うことができる。
【００４４】
また、上記データ要求タイミングは所定周期毎に行い、そしてプロジェクタ１０におけるＡＥおよびＡＷＢの設定変更を行うのはＡＥデータおよびＡＷＢデータが変化した時のみとしても良い。この場合には、プロジェクタ１０の投影状況の変動に迅速かつ的確に対応できる。さらに、上記データ要求タイミングは、手動の操作に基づいて行うようにしても良い。この場合には、ユーザの判断によって任意に選択でき、使い勝手が良くなる。
【００４５】
一方、プロジェクタ１０におけるステップ１０２の処理後は、図５に示すデジタルカメラ５０の処理に移行する。ステップ１２０では、プロジェクタ１０からＡＥデータおよびＡＷＢデータが要求されているか否かを判断する。
【００４６】
ステップ１２０が肯定の場合すなわちデータ要求がある場合には、ステップ１２２において、撮影モードに設定されているか否かを判断する。ここで、撮影モードとは、シャッター操作に基づいてデジタル画像データをフラッシュＲＯＭ６８に記憶する前提として、ＣＣＤ５４による連続的な撮像による動画像の撮影画像（スルー画像としての背景画像）が得られるモードである。
【００４７】
即ち、撮影モードでは、ＴＴＬ測光方式において、光学ユニット５２内の撮影レンズを通過する光を光電変換し、この光電変換された信号電荷に基づきＡＥデータが生成される。具体的には、図３に示すＡＥ検出部６２でＣＣＤ５４による撮像によって得られた画像の明るさを示す量（ＡＥデータ）が検出され、図３に示すＡＷＢ検出部６４でＲＧＢの色差信号に基づいて演算されるオートホワイトバランスデータ（ＡＷＢデータ）が検出される。
【００４８】
そして、ＡＥデータおよびＡＷＢデータは、図３に示すフラッシュＲＯＭ６８に記憶される。なお、プロジェクタ１０から投射される無信号状態での背景画面表示より、デジタルカメラ５０がＡＥデータおよびＡＷＢデータを複数区分（例えば９区分）の背景画面領域に分割して検出すれば、プロジェクタ１０の光源１２における色ムラなどの特性が、各領域毎に検出できる。
【００４９】
また、図１に示すように、本実施形態は、スクリーン３８上におけるプロジェクタ１０の投影領域Ｌ１を、デジタルカメラ５０の撮影領域Ｌ２（投影領域Ｌ１におけるＡＥおよびＡＷＢを検出する領域）よりも若干小さくなるように設定する。
【００５０】
ステップ１２２が肯定の場合すなわち撮影モードに設定されている場合には、ステップ１２４において、上記ＡＥデータおよびＡＷＢデータをプロジェクタ１０に出力する。即ち、ステップ１２４の処理は、ＡＥデータおよびＡＷＢデータを、フラッシュＲＯＭ６８から読出すと共に、Ｉ／Ｆ７４，３４を介してプロジェクタ１０に転送する。
【００５１】
ステップ１２２が否定の場合すなわち撮影モードに設定されていない場合には、撮影モードに設定されるのを待つ。また、ステップ１２０が否定の場合すなわちデータ要求がない場合またはステップ１２４の処理後は、図５のフローチャートの処理を終了する。
【００５２】
そして、デジタルカメラ５０におけるステップ１２４の処理後は、再び図４に示すプロジェクタ１０の処理に移行する。ステップ１０４では、ＡＥデータおよびＡＷＢデータが、デジタルカメラ５０から入力されたか否かを判断する。なお、上記データがプロジェクタ１０に入力されると、ＡＥデータおよびＡＷＢデータは、メモリ３０に記憶される。
【００５３】
ステップ１０４が肯定の場合すなわちデータ入力がある場合には、ステップ１０６において、図２に示す光源１２の光量（ＡＥ）を、プロジェクタ１０に対応するよう制御する。即ち、ステップ１０６では、デジタルカメラ５０からのＡＥデータをメモリ３０から読出すと共に、光量制御部２６で上記ＡＥデータに基づいて、スクリーン３８の周囲の輝度に対応する輝度（光量）を演算し、この演算値に対応するように光源１２の輝度を制御する。
【００５４】
上記光源１２の光量は上記ＡＥデータに対するメモリ３０内のルックアップテーブルによって設定され、光源１２に対する電圧および電流（電力）は設定値に基づいて制御される。具体的には、スクリーン３８の周囲が暗い場合、プロジェクタ１０から投射される無信号状態での背景画面表示の輝度を暗くする。一方、スクリーン３８の周囲が明るい場合には、プロジェクタ１０から投射される無信号状態での背景画面表示の輝度を明るくする。
【００５５】
また、ステップ１０８では、デジタルカメラ５０からのＡＷＢデータをメモリ３０から読出すと共に、色補正制御部２８で上記ＡＷＢデータに基づいて、スクリーン３８の色変化たとえばスクリーン３８の黄ばみ等の劣化，スクリーン３８の周囲のたとえば蛍光灯などの発光色における色温度に対応する色補正度（ホワイトバランス）を演算し、この演算値に対応するようにカラー液晶パネル１４の色補正度をゲイン制御する。
【００５６】
即ち、カラー液晶パネル１４の色バランス（ホワイトバランス）または透過率（ＲＧＢ比率）などは上記ＡＷＢデータに対するメモリ３０内のルックアップテーブルによって設定され、この設定値に対応するようホワイトバランスまたはＲＧＢ各色の画像に対応するカラー液晶パネル１４の画素の電極を駆動制御する。
【００５７】
ステップ１１０では、ステップ１０６および１０８での光源１２の輝度およびカラー液晶パネル１４の色補正度が制御された、変更投影画面を表示させる。ステップ１０４が否定の場合すなわちＡＥデータおよびＡＷＢデータが入力されない場合には、上記データが入力されるのを待つ。また、ステップ１００が否定の場合すなわちデジタルカメラ５０がプロジェクタ１０に接続されていない場合またはステップ１１０の処理後は、図４のフローチャートの処理を終了する。
【００５８】
なお、変更投影画面表示における投影モードでは、ＰＣ８０から転送された画像データに応じて割り振られたＲ光，Ｇ光，Ｂ光が各カラー液晶パネル１４に表示され、この状態で光源１２から射出された光が各カラー液晶パネル１４を透過すると、ＲＧＢ各色毎の画像が担持された光となる。そして、投影レンズ２０にはカラー液晶パネル１４からのＲ光，Ｇ光，Ｂ光の各画像が各ハーフミラー１８を介して重なり合うカラー画像として担持され、この重なり合ったカラー画像（映像）がスクリーン３８上に投影される。
【００５９】
本実施形態によれば、デジタルカメラ５０の採光によって得られたＡＥデータおよびＡＷＢデータに基づき、プロジェクタ１０の光源１２の輝度および色補正度が、スクリーン３８における光量または色に対応するよう変更されるので、スクリーン３８の周囲の輝度、およびスクリーン３８の色変化たとえばスクリーン３８の黄ばみ等の劣化，またはスクリーン３８の周囲のたとえば蛍光灯などの発光色における色温度に対応できる。
【００６０】
即ち、本実施形態によれば、プロジェクタ１０において、外光に対応する輝度及び投射される背景画面が常に一定の明るさ及び色味に設定できるので、光源１２における消費電力が低減（省エネルギー化に寄与）すると共に、投影される画像が見易くなり視認性が向上する。
【００６１】
また、本実施形態によれば、デジタルカメラ５０の採光によって得られたＡＥデータおよびＡＷＢデータに基づいて、プロジェクタ１０の光源１２の輝度および色補正度が、外光に対応する輝度及びスクリーン３８の色変化に対応するよう制御するので、プロジェクタ１０に従来のような周囲光量検出装置などが不要となり、そのため構成が簡易になると共に、安価となる。
【００６２】
なお、本実施形態ではプロジェクタ１０と他の装置（デジタルカメラ５０，ＰＣ８０）とをＩ／Ｆ３４，３６などにより接続する場合について説明したが、本発明はこれに限定されるものではなく、有線通信（例えば、ＩＥＥＥ１３９４等）により接続する形態や、無線通信（例えば、ブルートゥース、ＩｒＤＡ等）により接続する形態とすることもできる。
【００６３】
また、本実施形態において説明した各プログラムの処理の流れ（図４および図５参照）は一例であり、本発明の主旨を逸脱しない範囲内において適宜変更可能であることは言うまでもない。例えば、本実施形態に係るデータは、ＡＥデータまたはＡＷＢデータの少なくとも一方のみとしても良い。
【００６４】
さらに、上記実施形態の撮像装置はデジタルスチルカメラとした例であるが、本発明に係る撮像装置はデジタルビデオカメラ，撮像機能を備える携帯電話，パーソナル・コンピュータ，ＰＤＡ（Ｐｅｒｓｏｎａｌ　　Ｄｉｇｉｔａｌ　Ａｓｓｉｓｔａｎｃｅ）などであっても、同様に適用できる。
【００６５】
【発明の効果】
以上説明したように、本発明によれば、撮像装置の採光によって得られた光量情報または色情報に基づき、プロジェクタの光源の光量または色が、投影面たとえばスクリーンにおける光量または色に対応するよう調整されるので、光源における消費電力が低減すると共に、投影される画像が見易くなり視認性が向上する。また、本発明によれば、撮像装置の採光によって得られた光量情報または色情報に基づいて、プロジェクタの光源の輝度または色が、外光に対応する輝度またはスクリーンの色変化に対応するよう制御されるので、プロジェクタに従来のような周囲光量検出装置などが不要となり、そのため構成が簡易になると共に、安価となる。
【図面の簡単な説明】
【図１】本発明の実施形態に係るデータ入出力システムの外観を示す斜視図である。
【図２】図１に示すプロジェクタのブロック図である。
【図３】図１に示すデジタルスチルカメラのブロック図である。
【図４】図１に示すプロジェクタによって実行される輝度調整処理および色調整処理の流れを示すフローチャートである。
【図５】図１に示すデジタルカメラによって実行される輝度調整処理および色調整処理の流れを示すフローチャートである。
【符号の説明】
１０　　　　　　　　　プロジェクタ
１２　　　　　　　　　光源
１４　　　　　　　　　カラー液晶パネル
２４　　　　　　　　　中央演算処理装置（制御手段）
２６　　　　　　　　　光量制御部（光量調整手段）
２８　　　　　　　　　色補正制御部（色補正調整手段）
３４　　　　　　　　　インターフェース（入力手段）
３８　　　　　　　　　スクリーン（投影面）
４０　　　　　　　　　ケーブル（入力手段および出力手段）
５０　　　　　　　　　デジタルカメラ（撮像装置）
６２　　　　　　　　　ＡＥ検出部（光量検出手段）
６４　　　　　　　　　ＡＷＢ検出部（色補正検出手段）
７４　　　　　　　　　インターフェース（出力手段）
【図１】
2004128575.tif 000003
【図２】
2004128575.tif 000004
【図３】
2004128575.tif 000005
【図４】
2004128575.tif 000006
【図５】
2004128575.tif 000007